(57)【要約】【課題】小型化を実現できる光ピックアップ装置及び光ディスク装置を提供することを目的とする。【解決手段】第１レーザ素子１及び第２レーザ素子２と、内部に互いに平行である第１傾斜面と第２傾斜面を有して第１レーザ光１１が第１傾斜面、第２傾斜面の順に反射する光路合成プリズム３と、倍率変換素子４と、ビームスプリッタ５と、対物レンズ７と、を順に配置し、ビームスプリッタ５側から見た第１レーザ素子１の発光位置と第２レーザ素子２の発光位置とをほぼ同じ位置にした。【選択図】図１
2010218592.tif 000002
【特許請求の範囲】
【請求項１】
第１レーザ光を出射する第１レーザ素子及び前記第１レーザ光よりも長波長の第２レーザ光を前記第１レーザ光と同じ方向に出射する第２レーザ素子と第１及び第２レーザ光を光ディスクに集光する対物レンズ間に、前記第１及び第２レーザ素子側から前記対物レンズに向けて、倍率変換素子及び光路合成プリズムと、往復光路を分岐するビームスプリッタと、を配置し、
前記光路合成プリズムは前記第１及び第２レーザ素子に近接して配置され、内部に互いに平行である第１傾斜面と第２傾斜面とを有し、前記第１レーザ光を前記第１傾斜面及び第２傾斜面でこの順に反射させ、前記第２レーザ光を前記第２傾斜面で透過させ、
前記ビームスプリッタ側から見た前記第１レーザ素子の発光位置と前記第２レーザ素子の発光位置とをほぼ同じ位置としたことを特徴とする光ピックアップ装置。
【請求項２】
前記第２レーザ素子は前記第２レーザ光よりも長波長の第３レーザ光を出射することを特徴とする請求項１記載の光ピックアップ装置。
【請求項３】
前記第１傾斜面において前記第１レーザ素子側から順に反射膜層、接着剤層が配置され、前記第２傾斜面において前記第２レーザ素子側から順に接着剤層、波長選択膜層が配置されたことを特徴とする請求項１記載の光ピックアップ装置。
【請求項４】
前記倍率変換素子は、前記第２レーザ素子と前記光路合成プリズムとの間に配置された凸レンズとしたことを特徴とする請求項１記載の光ピックアップ装置。
【請求項５】
前記倍率変換素子は、前記第１レーザ素子と前記光路合成プリズムとの間に配置された凹レンズとしたことを特徴とする請求項１記載の光ピックアップ装置。
【請求項６】
前記倍率変換素子は、前記第１傾斜面に形成された凸面鏡のフレネル面としたことを特徴とする請求項１記載の光ピックアップ装置。
【請求項７】
第１レーザ光を出射する第１レーザ素子及び前記第１レーザ光よりも長波長の第２レーザ光を前記第１レーザ光と同じ方向に出射する第２レーザ素子と第１及び第２レーザ光を光ディスクに集光する対物レンズ間に、前記第１及び第２レーザ素子側から前記対物レンズに向けて、倍率変換素子及び光路合成プリズムと、往復光路を分岐するビームスプリッタと、を配置し、
前記光路合成プリズムは前記第１及び第２レーザ素子に近接して配置され、内部に互いに平行である第１傾斜面と第２傾斜面とを有し、前記第１レーザ光を前記第１傾斜面及び第２傾斜面でこの順に反射させ、前記第２レーザ光を前記第２傾斜面で透過させ、
前記ビームスプリッタ側から見た前記第１レーザ素子の発光位置と前記第２レーザ素子の発光位置とをほぼ同じ位置としたことを特徴とする光ディスク装置。
【発明の詳細な説明】
【技術分野】
【０００１】
本発明は、光ディスクに情報の記録または再生の少なくともいずれか一方を行う光ピックアップ装置及び光ディスク装置に関するものである。
【背景技術】
【０００２】
従来の光ピックアップ装置（例えば特許文献１に記載）の構成は、以下のような構成となっていた。
【０００３】
すなわち、第１レーザ光を出射する第１レーザ素子と、第１レーザ光よりも長波長の第２レーザ光を第１レーザ光と反対方向に出射する第２レーザ素子と、光路合成プリズム及び倍率変換素子と、第１レーザ光を第１レーザ素子から光路合成プリズムに導く光学系と、第２レーザ光を第２レーザ素子から光路合成プリズムに導く光学系と、を有する構成となっていた。光路合成プリズムは内部に互いに平行である第１傾斜面と第２傾斜面とを有している。第１レーザ光は、第１レーザ光を第１レーザ素子から光路合成プリズムに導く光学系を経由して光路合成プリズムに入射して第１傾斜面で透過する。第２レーザ光は、第２レーザ光を第２レーザ素子から光路合成プリズムに導く光学系を経由して光路合成プリズムに入射して第２傾斜面及び第１傾斜面でこの順に反射する。
【特許文献１】特開２００６−０６００８２号公報
【発明の開示】
【発明が解決しようとする課題】
【０００４】
ところが、この従来の光ピックアップ装置においては第１傾斜面におけるプリズム貼り合わせ面を樹脂材料からなる接着剤で接着している。樹脂材料からなる接着剤は紫外線に近く短波長の第１レーザ光が高い光密度条件で透過すると劣化してしまう可能性があるため第１傾斜面を透過する際の第１レーザ光の光密度が低くなるようにしなくてはならない。そのため、第１レーザ素子と第１傾斜面とを十分に離して配置しなくてはならず、光学系を小さくすることが困難であった。
【０００５】
本発明は上記の課題を解決するもので、小型化を実現できる光ピックアップ装置及び光ディスク装置を提供することを目的とする。
【課題を解決するための手段】
【０００６】
上記目的を達成するために本発明の光ピックアップ装置は、第１レーザ光を出射する第１レーザ素子及び前記第１レーザ光よりも長波長の第２レーザ光を前記第１レーザ光と同じ方向に出射する第２レーザ素子と第１及び第２レーザ光を光ディスクに集光する対物レンズ間に、前記第１及び第２レーザ素子側から前記対物レンズに向けて、倍率変換素子及び光路合成プリズムと、往復光路を分岐するビームスプリッタと、を配置し、前記光路合成プリズムは前記第１及び第２レーザ素子に近接して配置され、内部に互いに平行である第１傾斜面と第２傾斜面とを有し、前記第１レーザ光を前記第１傾斜面及び第２傾斜面でこの順に反射させ、前記第２レーザ光を前記第２傾斜面で透過させ、前記ビームスプリッタ側から見た前記第１レーザ素子の発光位置と前記第２レーザ素子の発光位置とをほぼ同じ位置とし、これにより所期の目的を達成するものである。
【発明の効果】
【０００７】
以上の構成により本発明は、第１レーザ素子から出射された第１レーザ光は光路合成プリズムの第１傾斜面と第２傾斜面を反射して通過する。したがって、第１レーザ光は樹脂材料からなる接着剤を透過することがないので第１傾斜面及び第２傾斜面における第１レーザ光の光密度を高くすることができ、第１レーザ素子を光路合成プリズムに近接させることができる。
【０００８】
また、往復光路を分岐するビームスプリッタから見た第１レーザ素子と第２レーザ素子の発光位置を一致させるために、光路合成プリズムの第１傾斜面と第２傾斜面との間隔の分だけ、第２レーザ素子を光路合成プリズムから離さなければならない。しかし、倍率変換素子を配置することにより、第２レーザ素子も光路合成プリズムに近接させることができる。
【０００９】
このように、本発明は第１レーザ素子及び第２レーザ素子を光路合成プリズムに近接させることができるので、光ピックアップ装置の小型化を実現できる。
【発明を実施するための最良の形態】
【００１０】
本発明における請求項１に記載の発明は、第１レーザ光を出射する第１レーザ素子及び第１レーザ光よりも長波長の第２レーザ光を第１レーザ光と同じ方向に出射する第２レーザ素子と第１及び第２レーザ光を光ディスクに集光する対物レンズ間に、第１及び第２レーザ素子側から対物レンズに向けて、倍率変換素子及び光路合成プリズムと、往復光路を分岐するビームスプリッタと、を配置し、光路合成プリズムは第１及び第２レーザ素子に近接して配置され、内部に互いに平行である第１傾斜面と第２傾斜面とを有し、第１レーザ光を第１傾斜面及び第２傾斜面でこの順に反射させ、第２レーザ光を第２傾斜面で透過させ、ビームスプリッタ側から見た第１レーザ素子の発光位置と第２レーザ素子の発光位置とをほぼ同じ位置とした光ピックアップ装置である。第１レーザ素子及び第２レーザ素子を光路合成プリズムに近接させることができるので、光ピックアップ装置の小型化を実現できる。
【００１１】
本発明における請求項２に記載の発明は、第２レーザ素子は第２レーザ光よりも長波長の第３レーザ光を出射する請求項１記載の光ピックアップ装置である。３波長のレーザ光を出射する光ピックアップ装置においても、小型化が図れる。
【００１２】
本発明における請求項３に記載の発明は、第１傾斜面において第１レーザ素子側から順に反射膜層、接着剤層が配置され、第２傾斜面において第２レーザ素子側から順に接着剤層、波長選択膜層が配置された請求項１記載の光ピックアップ装置である。第１レーザ光は光路合成プリズムに入射すると第１傾斜面の反射膜層、第２傾斜面の波長選択膜層に反射されて光路合成プリズムから出射されるので、第１レーザ光が第１傾斜面と第２傾斜面の接着剤層を透過することはなく、樹脂材料からなる接着剤層を劣化させてしまうことがない。したがって、第１レーザ素子を光路合成プリズムに近接させることができるので、光ピックアップ装置の小型化を実現できる。
【００１３】
本発明における請求項４に記載の発明は、倍率変換素子は、第２レーザ素子と光路合成プリズムとの間に配置された凸レンズとした請求項１記載の光ピックアップ装置である。第２レーザ光が凸レンズを通過することで発光位置の共役点が光路合成プリズムから遠ざかるため、第１レーザ素子と第２レーザ素子の両方を光路合成プリズムに近づけて光ピックアップ装置を小型化することができる。
【００１４】
本発明における請求項５に記載の発明は、倍率変換素子は、第１レーザ素子と光路合成プリズムとの間に配置された凹レンズとした請求項１記載の光ピックアップ装置である。第１レーザ光が凹レンズを通過することで発光位置の共役点が光路合成プリズムに近づくため、第１レーザ素子と第２レーザ素子の両方を光路合成プリズムに近づけて光ピックアップ装置を小型化することができる。
【００１５】
本発明における請求項６に記載の発明は、倍率変換素子は、倍率変換素子は、第１傾斜面に形成された凸面鏡のフレネル面とした請求項１記載の光ピックアップ装置である。第１レーザ光が凸面鏡のフレネル面を反射することで発光位置の共役点が光路合成プリズムに近づくため、第１レーザ素子と第２レーザ素子の両方を光路合成プリズムに近づけて光ピックアップ装置を小型化することができる。
【００１６】
本発明における請求項７に記載の発明は、第１レーザ光を出射する第１レーザ素子及び第１レーザ光よりも長波長の第２レーザ光を第１レーザ光と同じ方向に出射する第２レーザ素子と第１及び第２レーザ光を光ディスクに集光する対物レンズ間に、第１及び第２レーザ素子側から対物レンズに向けて、倍率変換素子及び光路合成プリズムと、往復光路を分岐するビームスプリッタと、を配置し、光路合成プリズムは第１及び第２レーザ素子に近接して配置され、内部に互いに平行である第１傾斜面と第２傾斜面とを有し、第１レーザ光を第１傾斜面及び第２傾斜面でこの順に反射させ、第２レーザ光を第２傾斜面で透過させ、ビームスプリッタ側から見た第１レーザ素子の発光位置と第２レーザ素子の発光位置とをほぼ同じ位置とした光ディスク装置である。第１レーザ素子及び第２レーザ素子を光路合成プリズムに近接させることができるので光ディスク装置の小型化を実現できる。
【００１７】
（実施の形態１）
以下、本実施の形態１について図面を参照しながら説明する。
【００１８】
図１は、本実施の形態１における光ピックアップ装置の光学構成の例を示す平面図である。
【００１９】
本実施の形態１における光ピックアップ装置の光学構成は、第１レーザ光１１を出射する第１レーザ素子１と、第１レーザ光１１よりも長波長の第２レーザ光１２を第１レーザ光１１と同じ方向に出射する第２レーザ素子２と、を配置する。また、第１レーザ光１１及び第２レーザ光１２を光ディスク８に集光する対物レンズ７を配置する。そして、第１レーザ素子１及び第２レーザ素子２と対物レンズ７間に、第１レーザ素子１及び第２レーザ素子２側から対物レンズ７に向けて、倍率変換素子４及び光路合成プリズム３と、往復光路を分岐するビームスプリッタ５と、コリメートレンズ６を配置する。また、分岐後の復光路上に検出レンズ９と受光素子１０とを配置する。
【００２０】
倍率変換素子４は、凸レンズとし第２レーザ素子２と光路合成プリズム３との間に配置した。光路合成プリズム３は、二つの光路を合成する。光ディスク８は、ＢＤ（Ｂｌｕ−ｒａｙ  Ｄｉｓｃ）、ＤＶＤ、ＣＤ等である。検出レンズ９は通過する検出光に非点収差を与える。
【００２１】
第1レーザ素子１から発した第１レーザ光１１は、光路合成プリズム３、ビームスプリッタ５を通過し、コリメートレンズ６で平行光に変換され、対物レンズ７により光ディスク８に集光される。光ディスク８で反射された光は、対物レンズ７、コリメートレンズ６を経て、ビームスプリッタ５で反射され、検出レンズ９で非点収差を与えられ、受光素子１０に導かれる。また、第２レーザ素子２から発した第２レーザ光１２は、倍率変換素子４を通過して光路合成プリズム３に入射した後、第１レーザ光１１と同じ光路をたどる。受光素子１０で検出された信号は、例えば、いわゆる非点収差方式のフォーカスエラー信号などを検出するために所定の演算を為されるが、詳しい説明は省略する。
【００２２】
次に本実施の形態１の特徴について、詳しく説明する。図２は、本実施の形態１における第１レーザ素子と第２レーザ素子とを収納した光学ユニットの平面図である。
【００２３】
第１レーザ素子１は第１発光位置１ａから第１レーザ光１１を出射する。第１レーザ光１１は本実施の形態１では波長λ１が略４０５ｎｍのレーザ光である（青：例えばＢＤ対応）。第２レーザ素子２は第２発光位置２ａから第２レーザ光１２を、第３発光位置２ｂから第３レーザ光１３を出射する。本実施の形態１では、第２レーザ光１２は波長λ２が第１レーザ光１１よりも長波長の略６５０ｎｍのレーザ光（赤：例えばＤＶＤ対応）、第３レーザ光１３は波長λ３がさらに長波長の略７８０ｎｍのレーザ光（赤外：例えばＣＤ対応）である。第１レーザ素子１と第２レーザ素子２とは近接して配置され、第１レーザ光１１と第２レーザ光１２とが同じ方向に向けて出射されるように配置されている。第２レーザ光１２と第３レーザ光１３は同じ前端面から出射されるので、第１レーザ光１１、第２レーザ光１２、第３レーザ光１３は同じ方向に向けて出射される。また、第１レーザ素子１の第１レーザ光１１を出射する前端面と第２レーザ素子２の第２レーザ光１２を出射する前端面とはほぼ揃えられている。この光学ユニットは、一つのパッケージで３つの波長のレーザ光を出射することができるため、小型化を図ることができる。
【００２４】
なお、本実施の形態１において、第１レーザ光１１、第２レーザ光１２、第３レーザ光１３まで出射できる光学ユニットを用いたが、それに限るものではなく、第１レーザ光１１を出射する第１レーザ素子１と、第１レーザ光１１よりも長波長の第２レーザ光１２を第１レーザ光１１と同じ方向に出射する第２レーザ素子２と、を備えていれば良い。
【００２５】
図３は本実施の形態１における光路合成プリズムの断面図である。光路合成プリズム３は第１レーザ素子１及び第２レーザ素子２とビームスプリッタ５との間に配置される。光路合成プリズム３は３つのガラス部材が接合して設けられており、それぞれのガラス部材の間には平行に配置された第１傾斜面３１と第２傾斜面３２が設けられている。出射直後は離れていた第１レーザ光１１の光軸と第２レーザ光１２の光軸とをほぼ一致させてコリメートレンズ６の光軸に合わせる働きを持つ。第１傾斜面３１は第１レーザ素子１側の反射膜層３１ａと接着剤層３１ｂからなる。第２傾斜面３２は第１傾斜面３１側の波長選択膜層３２ａと接着剤層３２ｂからなる。この波長選択膜層３２ａは短波長レーザ光である第１レーザ光１１をビームスプリッタ５側に反射するとともに、長波長レーザ光である第２レーザ光１２をそのまま透過する働きをもつ。反射膜層３１ａは金属膜や積層誘電体膜で構成される。波長選択膜層３２ａは積層誘電体膜で構成される。また、接着剤層３１ｂと接着剤層３２ｂとは樹脂材料で構成される。
【００２６】
また、第１傾斜面３１と第２傾斜面３２は第１レーザ光１１及び第２レーザ光１２が入射する入射面３３に対し４５度の傾斜を持っている。入射面３３に平行な方向の第１傾斜面３１と第２傾斜面３２の間隔は、同じ方向の第１レーザ光１１と第２レーザ光１２の出射位置の間隔と等しくなるように設定される。
【００２７】
第１レーザ光１１は入射面３３から光路合成プリズム３に入射すると第１傾斜面３１の反射膜層３１ａ、第２傾斜面３２の波長選択膜層３２ａに反射されて出射面３４から出射される。したがって、第１レーザ光１１は第１傾斜面３１の接着剤層３１ｂと第２傾斜面３２の接着剤層３２ｂを透過しないので、第１傾斜面３１または第２傾斜面３２における第１レーザ光１１の光密度が高いものであっても樹脂材料からなる接着剤層３１ｂ、３２ｂを劣化させてしまうことがない。すなわち、第１レーザ素子１は光路合成プリズム３に近接させて配置することができる。そのため、光ピックアップ装置を小型化することができる。
【００２８】
また、第２レーザ光１２は、入射面３３から光路合成プリズム３に入射すると、第２傾斜面３２を接着剤層３２ｂ、波長選択膜層３２ａの順に透過して直進し、出射面３４から出射する。このとき第２レーザ素子２から出射された第２レーザ光１２は接着剤層３２ｂを通過するが、第２レーザ光１２は第１レーザ光１１に比べて波長が長いので、樹脂材料への影響はほとんど無視することができる。
【００２９】
図４は、本実施の形態１における光ピックアップ装置の光学構成において第１レーザ素子及び第２レーザ素子からコリメートレンズまでを拡大した平面図である。第２レーザ素子２を出射した第２レーザ光１２は、凸レンズである倍率変換素子４により発散角が小さくなるように変換されるため、第２発光位置２ａの共役点２ｃは光路合成プリズム３から遠ざかる。この凸レンズの焦点距離と、凸レンズと第２発光位置２ａの間隔とを適切に設定することにより、ビームスプリッタ５から見たときの第１レーザ光１１の第１発光位置１ａと第２レーザ光１２の第２発光位置２ａの共役点２ｃとがほぼ同じ位置に見えるように構成することができる。したがって、第２レーザ素子２を光路合成プリズム３の近くに配置することができ、光ピックアップ装置の小型化を図ることができる。
【００３０】
また、一般に、光スポット側から発光位置への横倍率は、ＢＤ対応の光学系よりも、ＤＶＤ対応の光学系の方を小さく設定することが適切である。倍率変換素子４は凸レンズなので、光ディスク８に集光される光スポット側から第２レーザ光１２の第２発光位置２ａへの横倍率は、第１レーザ光１１の光路の横倍率よりも相対的に小さくなるように、適切な倍率変換がなされる。
【００３１】
以上のように本実施の形態１の光ピックアップ装置は、第１レーザ素子１から出射された第１レーザ光１１は光路合成プリズム３の第１傾斜面３１と第２傾斜面３２を反射して通過するため、第１レーザ光１１は樹脂材料からなる接着剤を透過することがないので第１傾斜面３１及び第２傾斜面３２における第１レーザ光１１の光密度を高くすることができ、第１レーザ素子１を光路合成プリズムに近接させることができる。
【００３２】
また、光路合成プリズム３を設けるだけでは、第２レーザ素子２を第１傾斜面３１と第２傾斜面３２との間隔の分だけ光路合成プリズム３から離さなければならない。しかしながら、第２レーザ素子２と光路合成プリズム３との間に凸レンズの倍率変換素子４を配置したことにより、第２レーザ素子２の発光位置２ａの共役点２ｃが光路合成プリズム３から遠ざかるため、第２レーザ素子２を光路合成プリズム３に近接させることができる。
【００３３】
このように、本発明は第１レーザ素子１及び第２レーザ素子２を光路合成プリズム３に近接させることができるので、光ピックアップ装置の小型化を実現できる。
【００３４】
次に本実施の形態１における、倍率変換素子４の他の例について説明する。前述のように独立した素子を設けるのではなく、光路合成プリズム３の内部へ組み込んだ例について説明する。
【００３５】
図５は本実施の形態１における倍率変換素子として凸面鏡のフレネル面を第１傾斜面に組み込んだ場合の光路合成プリズムの平面図である。図６は本実施の形態１における倍率変換素子として凸面鏡のフレネル面を光路合成プリズムの第１傾斜面に組み込んだ場合の光ピックアップ装置の光学構成においてレーザ素子からコリメートレンズまでを拡大した平面図である。この例の場合、倍率変換素子４は、光路合成プリズム３の第１傾斜面３１に設けた凸面鏡のフレネル面４５である。
【００３６】
この凸面鏡のフレネル面４５は、あらかじめ、その形状を第１傾斜面３１に形成しておき、その形状の上に反射膜層３１ａを形成して製造する。したがって、比較的容易に形成することができる上、倍率変換素子４を別部品として配置する必要がなくなり安価となる。
【００３７】
この凸面鏡のフレネル面４５は、図５、図６に示すように光路合成プリズム３の第１傾斜面３１に組み込むことで倍率変換素子４の役割を果たす。すなわち、図６に示すように、第１レーザ光１１は光路合成プリズム３に入射すると第１傾斜面３１のフレネル面４５に向かって直進する。第１レーザ光１１は第１傾斜面３１の凸面鏡のフルネル面４５で反射し、発散角が大きくなるように変換される。それにより、反射後の第１レーザ発光位置の共役点１ｂは、実際の第１発光位置１ａよりもフレネル面４５に近づく。その後第１レーザ光１１は、第２傾斜面３２において反射し、光路合成プリズム３から出射され、コリメートレンズ６に向かって進む。一方、第２レーザ光１２はフレネル面４５を通過せず、第２傾斜面の接着剤層３２ｂ、波長選択膜層３２ａを透過して、光路合成プリズム３から出射され、コリメートレンズ６に向かって進む。
【００３８】
第２傾斜面３２と第２レーザ光１２の第２発光位置２ａの間隔を、第２傾斜面３２と共役点１ｂとの間隔と等しくすることで、コリメートレンズ６側から見たときに、第１レーザ光１１の発光位置１ａの共役点１ｂと第２レーザ光１２の第２発光位置２ａを一致させることができる。したがって、第１傾斜面３１に凸面鏡のフレネル面４５を配置することにより、第１レーザ素子１及び第２レーザ素子２を光路合成プリズム３に近接して配置することができるので、光ピックアップ装置の小型化を実現できる。
【００３９】
さらに、フルネル面４５は凸面鏡なので、光ディスク８に集光される光スポット側から第１レーザ光１１の発光位置１ａへの横倍率は、第２レーザ光１２の光路の横倍率より相対的に大きくなるように変換されるため、前述したように一般的に適切な倍率変換がなされる。
【００４０】
尚、ここでは光路合成プリズム３の内部に凸面鏡のフレネル面４５を組み込んだ例を説明したが、凸面鏡と凹レンズの光学的な作用が等価であることから、第１レーザ素子１と光路合成プリズム３の間に凹レンズを配置することでも同様の効果が得られる。
【００４１】
（実施の形態２）
本実施の形態２では、実施の形態１において説明した光ピックアップ装置を用いた光ディスク装置について説明する。
【００４２】
図７は、本実施の形態２における実施の形態１において説明した光ピックアップ装置を用いた光ディスク装置を示す斜視図である。図７に示す光ディスク装置３０１において、カバー３０２は上カバー３０２ａと下カバー３０２ｂで構成され、カバー３０２は一方の端部に開口３０２ｃを有した袋状の構成となっている。カバー３０２には、トレイ３０３が開口３０２ｃから挿抜自在に保持されており、トレイ３０３は樹脂材料などの軽量な材料で構成されている。トレイ３０３にはフロント部分にベゼル３０４が設けられており、このベゼル３０４はトレイ３０３をカバー３０２内に収納した際に開口３０２ｃを塞ぐようになっている。ベゼル３０４にはイジェクトボタン３０５が表出しており、このイジェクトボタン３０５を押すことで、図示していない機構によって、カバー３０２からトレイ３０３が開口３０２ｃからわずかに飛び出し、トレイ３０３はカバー３０２に対して出し入れ可能となる。
【００４３】
トレイ３０３には、光ピックアップモジュール３０６が取り付けられている。光ピックアップモジュール３０６には光ディスク８を回転駆動させるスピンドルモータ２５が設けられており、更には、スピンドルモータ２５に対して近づいたり離れたりする光ピックアップ装置１５が移動自在に設けられている。光ピックアップ装置１５は、第１レーザ光１１を出射する第１レーザ素子１及び第１レーザ光１１よりも長波長の第２レーザ光１２を第１レーザ光１１と同じ方向に出射する第２レーザ素子２と第１及び第２レーザ光１２を光ディスク８に集光する対物レンズ７間に、第１レーザ素子１及び第２レーザ素子２側から対物レンズ７に向けて、倍率変換素子４、光路合成プリズム３、往復光路を分岐するビームスプリッタ５と、第１レーザ光１１及び第２レーザ光１２を平行光に変換するコリメートレンズ６と、を配置している。図７においては対物レンズ７のみが図示されている。光路合成プリズム３は第１レーザ素子１及び第２レーザ素子２に近接して配置され、内部に互いに平行である第１傾斜面３１と第２傾斜面３２とを有し、第１レーザ光１１を第１傾斜面３１及び第２傾斜面３２でこの順に反射させ、第２レーザ光１２を第２傾斜面３２で透過させる。倍率変換素子４は、光ディスク８に集光される光スポット側から第１レーザの発光位置への横倍率よりも、第２レーザの光路の横倍率を相対的に小さくなるように変換し、コリメートレンズ６側から見た第１レーザ素子１の発光位置と第２レーザ素子２の発光位置とをほぼ同じ位置となるようにした。
【００４４】
レール３０７、３０８は下カバー３０２ｂに保持され、しかもトレイ３０３の両側部に係合されている。レール３０７、３０８は、下カバー３０２ｂとトレイ３０３とに対して、トレイ３０３を挿抜する方向に所定の範囲で摺動可能に構成されている。
【００４５】
図７に示される光ディスク装置３０１に実施の形態１における光ピックアップ装置１５を搭載している。実施の形態１における光ピックアップ装置１５が第１レーザ素子１と第２レーザ素子２を光路合成プリズム３に近接させて小型化を実現できるものであるので、それに伴い本実施の形態２における光ディスク装置３０１においても小型化が可能となる。
【産業上の利用可能性】
【００４６】
本発明の光ピックアップ装置及び光ディスク装置は小型化を実現できるという効果を有し、ノートブックパソコンなどの携帯型電子機器や据え置き型のパーソナルコンピュータなどの電子機器などに適応できる。
【図面の簡単な説明】
【００４７】
【図１】本実施の形態１における光ピックアップ装置の光学構成の例を示す平面図
【図２】本実施の形態１における第１レーザ素子と第２レーザ素子とを収納した光学ユニットの平面図
【図３】本実施の形態１における光路合成プリズムの断面図
【図４】本実施の形態１における光ピックアップ装置の光学構成において第１レーザ素子及び第２レーザ素子からコリメートレンズまでを拡大した平面図
【図５】本実施の形態１における倍率変換素子として凸面鏡のフレネル面を第１傾斜面に組み込んだ場合の光路合成プリズムの平面図
【図６】本実施の形態１における倍率変換素子として凸面鏡のフレネル面を光路合成プリズムの第１斜面に組み込んだ場合の光ピックアップ装置の光学構成においてレーザ素子からコリメートレンズまでを拡大した平面図
【図７】本実施の形態２における実施の形態１において説明した光ピックアップ装置を用いた光ディスク装置を示す斜視図
【符号の説明】
【００４８】
１    第１レーザ素子
１ａ    第１発光位置
１ｂ    共役点
２    第２レーザ素子
２ａ    第２発光位置
２ｂ    第３発光位置
２ｃ    共役点
３    光路合成プリズム
３１    第１傾斜面
３１ａ    反射膜層
３１ａ    接着剤層
３２    第２傾斜面
３２ａ    波長選択膜層
３２ｂ    接着剤層
３３    入射面
３４    出射面
４    倍率変換素子
４５    フレネル面
５    ビームスプリッタ
６    コリメートレンズ
７    対物レンズ
８    光ディスク
９    検出レンズ
１０    受光素子
１１    第１レーザ光
１２    第２レーザ光
１３    第３レーザ光
２５    スピンドルモータ
３０１    光ディスク装置
３０２    カバー
３０２ａ    上カバー
３０２ｂ    下カバー
３０２ｃ    開口
３０３    トレイ
３０４    ベゼル
３０５    光ピックアップモジュール
【図１】
2010218592.tif 000003
【図２】
2010218592.tif 000004
【図３】
2010218592.tif 000005
【図４】
2010218592.tif 000006
【図５】
2010218592.tif 000007
【図６】
2010218592.tif 000008
【図７】
2010218592.tif 000009